【手続補正書】
【提出日】平成17年3月22日(2005.3.22)
【手続補正１】
【補正対象書類名】明細書
【補正対象項目名】特許請求の範囲
【補正方法】変更
【補正の内容】
【特許請求の範囲】
【請求項１】
バインダー樹脂と、このバインダー樹脂中に分散され少なくとも磁性体を含む金属化合物粒子と、を含有する磁性体分散型樹脂キャリアにおいて、
キャリア粒子中における金属化合物粒子の含有率が８０〜９９質量％であり、
１０００／４πｋＡ／ｍにおける磁化の強さが４５〜７５Ａｍ２／ｋｇであり、
１０００Ｖ／ｃｍの電界強度となる電圧を印加したときの比抵抗をＲ1000とし、３０００Ｖ／ｃｍの電界強度となる電圧を印加したときの比抵抗をＲ3000としたときに１．０≦ｌｏｇ(Ｒ1000)／ｌｏｇ(Ｒ3000)≦１．３の関係を満たすことを特徴とする磁性体分散型樹脂キャリア。
【請求項２】
１０００／４πｋＡ／ｍにおける磁化の強さが５０〜７５Ａｍ２／ｋｇであることを特徴とする請求項１に記載の磁性体分散型樹脂キャリア。
【請求項３】
体積平均粒径が２５〜６０μｍであることを特徴とする請求項１又は２に記載の磁性体分散型樹脂キャリア。
【請求項４】
体積平均粒径が３０〜５０μｍであることを特徴とする請求項１乃至３のいずれか一項に記載の磁性体分散型樹脂キャリア。
【請求項５】
前記バインダー樹脂が熱硬化性樹脂であることを特徴とする請求項１乃至４のいずれか一項に記載の磁性体分散型樹脂キャリア。
【請求項６】
前記金属化合物粒子の表面は、エポキシ基、アミノ基、及びメルカプト基からなるグループから選ばれた一種以上の官能基を有する親油化処理剤で処理されていることを特徴とする請求項１乃至５のいずれか一項に記載の磁性体分散型樹脂キャリア。
【請求項７】
前記金属化合物粒子は、強磁性を示す第一の金属化合物粒子と、これよりも弱い磁性を示す第二の金属化合物粒子とを含み、前記第二の金属化合物粒子は、前記第一の金属化合物粒子よりも高抵抗であることを特徴とする請求項１乃至６のいずれか一項に記載の磁性体分散型樹脂キャリア。
【請求項８】
前記第二の金属化合物粒子は、キャリア粒子内部より、キャリア粒子表面により多く存在していることを特徴とする請求項７に記載の磁性体分散型樹脂キャリア。
【請求項９】
前記金属化合物粒子は、強磁性を示す第一の金属化合物粒子と、これよりも弱い磁性を示す第二の金属化合物粒子とを含み、前記第二の金属化合物粒子を処理する前記親油化処理剤の処理量は、前記第一の金属化合物粒子を処理する親油化処理剤の処理量よりも多いことを特徴とする請求項６に記載の磁性体分散型樹脂キャリア。
【請求項１０】
前記金属化合物粒子は、強磁性を示す第一の金属化合物粒子と、これよりも弱い磁性を示す第二の金属化合物粒子とを含み、前記第二の金属化合物粒子を処理する前記親油化処理剤の官能基数は、前記第一の金属化合物粒子を処理する親油化処理剤の官能基数よりも大きいことを特徴とする請求項６又は９に記載の磁性体分散型樹脂キャリア。
【請求項１１】
前記金属化合物粒子は、強磁性を示す第一の金属化合物粒子と、これよりも弱い磁性を示す第二の金属化合物粒子とを含み、前記第二の金属化合物粒子を処理する前記親油化処理剤の官能基の極性は、前記第一の金属化合物粒子を処理する親油化処理剤の官能基の極性よりも高いことを特徴とする請求項６、９及び１０のいずれか一項に記載の磁性体分散型樹脂キャリア。
【請求項１２】
表面処理樹脂及びカップリング剤の少なくともいずれかにより表面が処理されていることを特徴とする請求項１乃至１１のいずれか一項に記載の磁性体分散型樹脂キャリア。
【請求項１３】
前記表面処理樹脂がシリコーン樹脂及びフッ素樹脂の少なくともいずれかであることを特徴とする請求項１２に記載の磁性体分散型樹脂キャリア。
【請求項１４】
磁性体分散型樹脂キャリアとトナーとを有する二成分現像剤において、
前記磁性体分散型樹脂キャリアは、バインダー樹脂と、このバインダー樹脂中に分散され少なくとも磁性体を含む金属化合物粒子と、を含有し、
キャリア粒子中における金属化合物粒子の含有率が８０〜９９質量％であり、
１０００／４πｋＡ／ｍにおける磁化の強さが４５〜７５Ａｍ２／ｋｇであり、
１０００Ｖ／ｃｍの電界強度となる電圧を印加したときの比抵抗をＲ1000とし、３０００Ｖ／ｃｍの電界強度となる電圧を印加したときの比抵抗をＲ3000としたときに１．０≦ｌｏｇ(Ｒ1000)／ｌｏｇ(Ｒ3000)≦１．３の関係を満たし、
前記トナーは、結着樹脂及び着色剤を少なくとも含有し、重量平均粒径が３〜１０μｍであることを特徴とする二成分現像剤。
【請求項１５】
前記磁性体分散型樹脂キャリアの１０００／４πｋＡ／ｍにおける磁化の強さが５０〜７５Ａｍ２／ｋｇであることを特徴とする請求項１４に記載の二成分現像剤。
【請求項１６】
前記磁性体分散型樹脂キャリアの体積平均粒径が２５〜６０μｍであることを特徴とする請求項１４又は１５に記載の二成分現像剤。
【請求項１７】
前記磁性体分散型樹脂キャリアの体積平均粒径が３０〜５０μｍであることを特徴とする請求項１４乃至１６のいずれか一項に記載の二成分現像剤。
【請求項１８】
前記バインダー樹脂が熱硬化性樹脂であることを特徴とする請求項１４乃至１７のいずれか一項に記載の二成分現像剤。
【請求項１９】
前記金属化合物粒子の表面は、エポキシ基、アミノ基、及びメルカプト基からなるグループから選ばれた一種以上の官能基を有する親油化処理剤で処理されていることを特徴とする請求項１４乃至１８のいずれか一項に記載の二成分現像剤。
【請求項２０】
前記金属化合物粒子は、強磁性を示す第一の金属化合物粒子と、これよりも弱い磁性を示す第二の金属化合物粒子とを含み、前記第二の金属化合物粒子は、前記第一の金属化合物粒子よりも高抵抗であることを特徴とする請求項１４乃至１９のいずれか一項に記載の二成分現像剤。
【請求項２１】
前記第二の金属化合物粒子は、キャリア粒子内部より、キャリア粒子表面により多く存在していることを特徴とする請求項２０に記載の二成分現像剤。
【請求項２２】
前記金属化合物粒子は、強磁性を示す第一の金属化合物粒子と、これよりも弱い磁性を示す第二の金属化合物粒子とを含み、前記第二の金属化合物粒子を処理する前記親油化処理剤の処理量は、前記第一の金属化合物粒子を処理する親油化処理剤の処理量よりも多いことを特徴とする請求項１９に記載の二成分現像剤。
【請求項２３】
前記金属化合物粒子は、強磁性を示す第一の金属化合物粒子と、これよりも弱い磁性を示す第二の金属化合物粒子とを含み、前記第二の金属化合物粒子を処理する前記親油化処理剤の官能基数は、前記第一の金属化合物粒子を処理する親油化処理剤の官能基数よりも大きいことを特徴とする請求項１９又は２２に記載の二成分現像剤。
【請求項２４】
前記金属化合物粒子は、強磁性を示す第一の金属化合物粒子と、これよりも弱い磁性を示す第二の金属化合物粒子とを含み、前記第二の金属化合物粒子を処理する前記親油化処理剤の官能基の極性は、前記第一の金属化合物粒子を処理する親油化処理剤の官能基の極性よりも高いことを特徴とする請求項１９、２２及び２３のいずれか一項に記載の二成分現像剤。
【請求項２５】
前記磁性体分散型樹脂キャリアは、表面処理樹脂及びカップリング剤の少なくともいずれかにより表面が処理されていることを特徴とする請求項１４乃至２４のいずれか一項に記載の二成分現像剤。
【請求項２６】
前記表面処理樹脂がシリコーン樹脂及びフッ素樹脂の少なくともいずれかであることを特徴とする請求項２５に記載の二成分現像剤。
【請求項２７】
前記トナーは、下記式で求められる形状係数が１００〜１２０の範囲内であることを特徴とする請求項１４乃至２６のいずれか一項に記載の二成分現像剤。
【数１】
2003295523.tif 000001
（式中、ＭＸＬＮＧはトナーの最大径を示し、ＡＲＥＡはトナーの投影面積を示す。）
【請求項２８】
前記トナーは、コア部とこれを被覆するシェル部とからなるコア／シェル構造を有しており、前記コア部にはワックスが含まれることを特徴とする請求項１４乃至２７のいずれか一項に記載の二成分現像剤。
【請求項２９】
前記トナーは、シリカ微粒子及び酸化チタン微粒子から少なくとも選択される微粒子を外添剤として有することを特徴とする請求項１４乃至２８のいずれか一項に記載の二成分現像剤。
【手続補正２】
【補正対象書類名】明細書
【補正対象項目名】０１１９
【補正方法】変更
【補正の内容】
【０１１９】
例えば、ネガ系荷電制御剤として、サリチル酸、ジアルキルサリチル酸、ナフトエ酸、ダイカルボン酸又はそれらの誘導体の金属化合物；スルホン酸又はカルボン酸を側鎖に持つ高分子型化合物；ホウ素化合物；尿素化合物；ケイ素化合物；カリックスアレーン等が挙げられる。また、ポジ系荷電制御剤として、四級アンモニウム塩、該四級アンモニウム塩を側鎖に有する高分子型化合物、グアニジン化合物、イミダゾール化合物等が好ましく用いられる。